(57)【要約】【課題】電源の供給と発振信号の選択を１つのスイッチで同時に行い、発振器間の干渉を無くすと同時に回路規模を最小限にした周波数選択型圧電発振器を提供する。【解決手段】この周波数選択型圧電発振器は、発振周波数が（ｆａ）の圧電発振器Ａ１と、発振周波数が（ｆｂ）の圧電発振器Ｂ１０と、圧電発振器Ａ１への電源電流の流入を防止し、発振信号のみを通過させる出力コンデンサＣ１２と、圧電発振器Ｂ１０への電源電流の流入を防止し、発振信号のみを通過させる出力コンデンサＣ１３と、圧電発振器Ａ１の電源に発振信号が混入するのを防止するインダクタＬ３と、圧電発振器Ｂ１０の電源に発振信号が混入するのを防止するインダクタＬ１１と、圧電発振器Ａ１、Ｂ１０の何れか１つを選択するスイッチ５と、図示しない電源に発振信号が混入するのを防止する電源インダクタＬ６と、前記スイッチ５により選択された発振信号から直流分をカットする直流カットコンデンサＣ８と、を備えて構成される。【選択図】      図１
2004187013.tif 000002
【特許請求の範囲】
【請求項１】
異なる周波数で発振する複数の圧電発振器と、該複数の圧電発振器の何れか１つを選択する発振器選択手段と、を備えた周波数選択型圧電発振器であって、
前記各圧電発振器の電源供給線路に発振信号が混入するのを防止するインダクタと、前記各圧電発振器の出力線路に電源電流が流入するのを防止する出力コンデンサと、前記電源供給線路の主電源に前記発振信号が混入するのを防止する電源インダクタと、前記発振器選択手段により選択された発振信号から直流分をカットする直流カットコンデンサと、を備え、
前記各圧電発振器の電源線路に前記インダクタを夫々直列に挿入接続し、前記出力コンデンサの出力側と前記インダクタの電源供給側を夫々接続して前記発振器選択手段の被選択側端子に接続し、且つ、前記電源供給線路に前記電源インダクタを直列に挿入接続し、該電源インダクタの出力側を前記直流カットコンデンサの一方の端子と前記発振器選択手段の選択側端子との接続点に接続することにより、前記発振器選択手段により選択された圧電発振器の電源線路に電源を供給すると共に、選択された圧電発振器の発振信号を前記発振器選択手段の選択側端子に出力することを特徴とする周波数選択型圧電発振器。
【請求項２】
異なる周波数で発振する複数の圧電発振器と、該複数の圧電発振器の何れか１つを選択する発振器選択手段と、を備えた周波数選択型圧電発振器であって、
前記各圧電発振器の出力線路に電源電流が流入するのを防止する出力コンデンサと、前記各圧電発振器の電源供給線路に発振信号が混入するのを防止するインダクタと、前記電源供給線路の主電源に前記発振信号が混入するのを防止する電源インダクタと、前記発振器選択手段により選択された発振信号から直流分をカットする直流カットコンデンサと、を備え、
前記各圧電発振器の電源を前記発振器選択手段の被選択側端子に接続し、且つ、前記発振器選択手段の選択側端子と前記各圧電発振器の出力コンデンサの出力側を互いに接続した接続点との間に、前記インダクタを直列に挿入接続すると共に、前記電源供給線路に前記電源インダクタを直列に挿入接続し、該電源インダクタの出力側と前記直流カットコンデンサの一方の端子を接続して前記接続点に接続することにより、前記発振器選択手段により選択された圧電発振器の電源線路に電源を供給すると共に、選択された圧電発振器の発振信号を前記発振器選択手段の選択側端子に出力することを特徴とする周波数選択型圧電発振器。
【請求項３】
前記発振器選択手段は、少なくとも２つ以上の被選択側端子を備え、所定の電流容量を切替え可能な構成であることを特徴とする請求項１又は２に記載の周波数選択型圧電発振器。
【請求項４】
前記各圧電発振器の電源供給線路に直列に挿入接続したインダクタは、少なくとも当該圧電発振器の発振周波数を所定のレベルまで減衰可能なインダクタンスを備え、且つ、当該圧電発振器の電源の電圧降下が所定の値以下になる直流抵抗を有することを特徴とする請求項１又は２に記載の周波数選択型圧電発振器。
【請求項５】
前記発振器選択手段は、複数の機械的接点を有するメカニカルスイッチであることを特徴とする請求項１、２又は３に記載の周波数選択型圧電発振器。
【発明の詳細な説明】
【０００１】
【発明の属する技術分野】
本発明は、周波数選択型圧電発振器に関し、さらに詳しくは、１つの発振器選択手段により電源の供給と発振信号の選択を行う圧電発振器に関するものである。
【０００２】
【従来の技術】
従来から、異なる周波数で発振する複数の発振器から、何れか１つの発振器の周波数を出力する場合、例えば、図４（ｂ）のように、異なる周波数をもつ発振器Ａ２１、発振器Ｂ２２を１つずつ用意し、その出力をスイッチ２３にて切り替えることにより、選択された発振信号を出力端子に出力することが行われている。また、図４（ｃ）のように、出力端子における２つの発振器Ａ２１、Ｂ２２のアイソレーションを良くするために、スイッチＡ２３ａにより選択されない発振器へは電源が供給されないようにすると共に、スイッチＢ２３ｂにより発振信号を選択して出力端子に出力することが行われている。
また、特開２００１−１２７５４４公報には、２つの発振器間の結合を少なくして、発振信号のレベルを低下せずに増幅器に入力できるようにする技術について開示されている。図４（ａ）が概略構成図である。それによると、第１の周波数帯の発振信号を出力する第１の発振器Ａ２１と、第２の周波数帯の発振信号を出力する第２の発振器Ｂ２２と、第１の周波数帯の発振信号又は第２の周波数帯の発振信号を増幅する増幅器、第１の周波数帯の発振信号を増幅器に入力する第１のスイッチダイオードと、第２の周波数帯の発振信号を増幅器に入力する第２のスイッチダイオードとを備え、第１の発振器又は第２の発振器を択一的に動作させるように構成し、第１のスイッチダイオードを第１の発振器の動作に連動して導通させると共に、第２のスイッチダイオードを第２の発振器の動作に連動して導通させるようにしたとしている。発振器Ａ２１、発振器Ｂ２２の電源をスイッチ２３により選択的に供給し、結合回路２４から選択された発振信号のみを出力端子に出力するものである。
【特許文献１】特開２００１−１２７５４４公報
【０００３】
【発明が解決しようとする課題】
しかしながら、図４（ｂ）の回路の場合、発振器Ａ２１、発振器Ｂ２２には常に電源が供給されているので、両発振器は常に動作しており、その発振信号をスイッチ２３により切替えたとしても、スイッチ間で周波数の漏洩が発生してアイソレーションが悪くなるといった問題がある。
また、図４（ｃ）の回路の場合、必要としない発振器へはスイッチＡにより電源が供給されないので発振せず、しかも、同時に発振信号がスイッチＢにより切断されるため、発振器間の干渉といった問題はなくなるが、スイッチを２つ必要とするため、回路規模が大きくなるといった問題がある。
また、特許文献１は、発振器間の干渉といった問題はなくなるが、結合回路２４が必要となるため図４（ｃ）と同様に回路規模が大きくなるといった問題がある。
本発明は、かかる課題に鑑み、電源の供給と発振信号の選択を１つのスイッチで同時に行い、発振器間の干渉を無くすと同時に回路規模を最小限にした周波数選択型圧電発振器を提供することを目的とする。
【０００４】
【課題を解決するための手段】
本発明はかかる課題を解決するために、請求項１は、異なる周波数で発振する複数の圧電発振器と、該複数の圧電発振器の何れか１つを選択する発振器選択手段と、を備えた周波数選択型圧電発振器であって、前記各圧電発振器の電源供給線路に発振信号が混入するのを防止するインダクタと、前記各圧電発振器の出力線路に電源電流が流入するのを防止する出力コンデンサと、前記電源供給線路の主電源に前記発振信号が混入するのを防止する電源インダクタと、前記発振器選択手段により選択された発振信号から直流分をカットする直流カットコンデンサと、を備え、前記各圧電発振器の電源線路に前記インダクタを夫々直列に挿入接続し、前記出力コンデンサの出力側と前記インダクタの電源供給側を夫々接続して前記発振器選択手段の被選択側端子に接続し、且つ、前記電源供給線路に前記電源インダクタを直列に挿入接続し、該電源インダクタの出力側を前記直流カットコンデンサの一方の端子と前記発振器選択手段の選択側端子とで接続点に接続することにより、前記発振器選択手段により選択された圧電発振器の電源線路に電源を供給すると共に、選択された圧電発振器の発振信号を前記発振器選択手段の選択側端子に出力することを特徴とする。
インダクタのインピーダンスは、インダクタンスが一定の場合、そのインダクタに印加する周波数に比例して大きくなる。従って、インダクタに印加する周波数が０（直流）の場合は、インピーダンスは０となり、印加する周波数が高周波の場合は、その周波数に比例して大きくなる。従って、直流電源に高周波が重畳された信号をインダクタに印加すると、直流電源はそのまま通過するが、高周波は減衰して通過を阻止するように働く。また、コンデンサのインピーダンスは、容量が一定の場合、そのコンデンサに印加する周波数に反比例して小さくなる。従って、コンデンサに印加する周波数が０（直流）の場合は、インピーダンスは無限大となり、印加する周波数が高周波の場合は、その周波数に比例して小さくなる。従って、直流電源に高周波が重畳された信号をコンデンサに印加すると、高周波は略そのまま通過するが、直流電源は通過を阻止するように働く。本発明はインダクタとコンデンサのこのような働きを利用して、直流電源と発振器の発振信号を重畳させ、その重畳信号を１つの発振器選択手段により選択して、出力側で電源と発振信号を分離するようにしたものである。
かかる発明によれば、直流電源と発振器の発振信号を重畳させた重畳信号をインダクタとコンデンサにより分離するので、発振器選択手段が１つで電源供給と発振出力の選択を行うことができる。
【０００５】
請求項２は、異なる周波数で発振する複数の圧電発振器と、該複数の圧電発振器の何れか１つを選択する発振器選択手段と、を備えた周波数選択型圧電発振器であって、前記各圧電発振器の出力線路に電源電流が流入するのを防止する出力コンデンサと、前記各圧電発振器の電源供給線路に発振信号が混入するのを防止するインダクタと、前記電源供給線路の主電源に前記発振信号が混入するのを防止する電源インダクタと、前記発振器選択手段により選択された発振信号から直流分をカットする直流カットコンデンサと、を備え、前記各圧電発振器の電源を前記発振器選択手段の被選択側端子に接続し、且つ、前記発振器選択手段の選択側端子と前記各圧電発振器の出力コンデンサの出力側を互いに接続した接続点との間に、前記インダクタを直列に挿入接続すると共に、前記電源供給線路に前記電源インダクタを直列に挿入接続し、該電源インダクタの出力側と前記直流カットコンデンサの一方の端子を接続して前記接続点に接続することにより、前記発振器選択手段により選択された圧電発振器の電源線路に電源を供給すると共に、選択された圧電発振器の発振信号を前記発振器選択手段の選択側端子に出力することを特徴とする。
請求項１では、各発振器の電源にインダクタを挿入接続して発振信号の混入を防止している。従って、発振器の数だけインダクタが必要となり、発振器の数が増加するとその分部品点数が増加してしまう。そこで本発明では、発振器の出力側を共通に接続し、その接続点と発振器選択手段の選択側端子との間に共通のインダクタを接続して部品点数を削減するものである。しかし、この回路の場合、出力信号が他の発振器の出力に接続されるため、インピーダンスの関係で信号レベルが減少する可能性があるので、接続する発振器の数が制限される。
かかる発明によれば、発振器の出力側を共通に接続し、その接続点と発振器選択手段の選択側端子との間に共通のインダクタを接続するので、発振器の数に関係なく最小のインダクタの数で回路を構成することができる。
【０００６】
請求項３は、前記発振器選択手段は、少なくとも２つ以上の被選択側端子を備え、所定の直流電流容量を切替え可能な構成であることを特徴とする。
発振器選択手段の被選択側端子は、複数の発振器が接続できるように少なくとも２つ以上必要である。そして、その端子には発振器へ供給する電源電流を流すので所定の電流容量を備えていることが必要である。
かかる発明によれば、被選択側端子を複数備え、且つ、端子の電流容量が所定の直流電流容量を切替え可能な構成なので、電源と発振信号を同時に切り替えることができる。
請求項４は、前記各圧電発振器の電源供給線路に直列に挿入接続したインダクタは、少なくとも当該圧電発振器の発振周波数を所定のレベルまで減衰可能なインダクタンスを備え、且つ、当該圧電発振器の電源の電圧降下が所定の値以下になる直流抵抗を有することを特徴とする。
インダクタは、そのインダクタンスが大きい程高周波の阻止能力が高くなる。そして、そのインダクタンスはコイルの巻き数に略比例して大きくなる。しかし、巻き数を大きくすると、直流抵抗が増加して電圧降下を大きくし、電源電圧が発振器側で低くなってしまう。そこで本発明では、インダクタンスの値を発振周波数を所定のレベルまで低下させるように選択し、且つ、発振器に流れる電流値から逆算して電圧降下が所定のレベルになるように直流抵抗を選択する。
かかる発明によれば、インダクタンスの値を発振周波数を所定のレベルまで低下させるように選択し、且つ、電圧降下が所定のレベルになるように直流抵抗を選択するので、発振器の電源に発振信号が回りこむことを防止すると共に、電圧降下を最小限にして発振器の発振動作を安定化することができる。
請求項５は、前記発振器選択手段は、複数の機械的接点を有するメカニカルスイッチであることを特徴とする。
発振器選択手段は、半導体アナログスイッチで実現することが可能であるが、周波数特性やコスト面でメカニカルスイッチに比べて不利である。それに比べてメカニカルスイッチは、簡単な構造で、しかも周波数特性が優れ、コスト的にも安価である。
かかる発明によれば、発振器選択手段をメカニカルスイッチにより構成するので、周波数特性が優れ、コスト的にも安価に実現することができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の第１の実施形態に係る周波数選択型圧電発振器の構成図である。この例では発振器が２つの場合について説明する。この周波数選択型圧電発振器は、発振周波数が（ｆａ）の圧電発振器Ａ１と、発振周波数が（ｆｂ）の圧電発振器Ｂ１０と、圧電発振器Ａ１への電源電流の流入を防止し、発振信号のみを通過させる出力コンデンサＣ１２と、圧電発振器Ｂ１０への電源電流の流入を防止し、発振信号のみを通過させる出力コンデンサＣ１３と、圧電発振器Ａ１の電源に発振信号が混入するのを防止するインダクタＬ３と、圧電発振器Ｂ１０の電源に発振信号が混入するのを防止するインダクタＬ１１と、圧電発振器Ａ１、Ｂ１０の何れか１つを選択するスイッチ５と、電源に発振信号が混入するのを防止する電源インダクタＬ６と、前記スイッチ５により選択された発振信号から直流分をカットする直流カットコンデンサＣ８と、を備えて構成され、圧電発振器Ａ１の電源線路にインダクタＬ３を直列に挿入接続し、出力コンデンサＣ１２の出力側とインダクタＬ３の電源供給側を夫々接続してスイッチ５の接点ｂに接続し、圧電発振器Ｂ１０の電源線路にインダクタＬ１１を直列に挿入接続し、出力コンデンサＣ１３の出力側とインダクタＬ１１の電源供給側を夫々接続してスイッチ５の接点ｃに接続する。また、電源とスイッチ５の中点ａとの間に電源インダクタＬ６を直列に挿入接続し、この中点ａから直流カットコンデンサＣ８の一方の端子を接続して他方の端子を出力端子とする。尚、本実施形態では発振器が２つの場合について説明しているが、発振器はいくつでも構わない。そして、その発振器の数に合わせてスイッチ５の接点側の数を決定する。また、スイッチ５がメカニカルスイッチを使用しているが、トランジスタ等の半導体スイッチでも構わない。また、出力コンデンサＣ１２とＣ１３が発振器の外側に配置されているが、各発振器の中に備えられていても構わない。
【０００８】
次に、本実施形態の動作について図１と図２を参照して説明する。図１で実線の矢印は電源の電流経路を表し、点線の矢印は信号の経路を表している。図２は、図１の各部の波形を示す図である。まず、スイッチ５が図１の位置に接点があるとすると、電源からの電圧Ｖｃｃが電源インダクタＬ６を介してスイッチ５の中点ａに供給される。中点ａは接点ｂ側に接続されているので、電圧Ｖｃｃは線路４を介してインダクタＬ３と出力コンデンサＣ１２に供給される。ここで、インダクタＬ３のインピーダンスＺＬはインダクタンスをＬとすると（１）式により与えられる。
ＺＬ＝ｊωＬ・・・・・（１）
つまり、ω＝２πｆであるから、Ｖｃｃが直流であるからｆ＝０であり、ω＝０であるから、ＺＬ＝０となり、Ｖｃｃはそのまま発振器Ａ１の電源に減衰しないで供給される。それにより発振器Ａ１が発振周波数（ｆａ）で発振を開始する。また、出力コンデンサＣ１２のインピーダンスＺｃは、コンデンサの容量をＣとすると（２）式により与えられる。
Ｚｃ＝１／ｊωＣ・・・・（２）
ここで、ｆａは高周波であるので、Ｚｃ＝０となり、発振周波数（ｆａ）はそのまま出力される。このとき線路４には図２（４）のように電圧Ｖｃｃに発振周波数（ｆａ）が重畳した波形を有する信号となり、その信号はインダクタＬ３にも印加される。しかし、インダクタＬ３のインピーダンスは（１）式より周波数に比例して大きくなるので、ＺＬは非常に大きくなり、発振器Ａの電源入力端へは発振信号が図２（２）のように減衰されてＶｃｃのみが供給される。また、信号（４）はスイッチ５の中点ａにも現れる。その信号は電源インダクタＬ６に供給されるが、前記（１）式より周波数に比例してＺＬは非常に大きくなるので発振波形のみを減衰させ、電源側の線路には図２の（７）のように発振波形が回り込むのを防いでいる。また、直流カットコンデンサＣ８では、前記（２）式よりＶｃｃに対して無限大のインピーダンスを示し、図２（９）のように発振波形のみを通過させる。尚、スイッチ５の接点をｃ側にした場合も、前記と同様に発振器Ｂ１０の信号（ｆｂ）が選択されて、出力側の直流カットコンデンサＣ８から出力される。
【０００９】
このように、インダクタＬ３、Ｌ６のインピーダンスは、そのインダクタに印加する周波数に比例して大きくなる。従って、インダクタに印加する周波数が電源Ｖｃｃのように０（直流）の場合は、インピーダンスは０となり、印加する周波数が高周波の場合は、その周波数に比例して大きくなる。従って、図２（４）の信号のように、直流電源に高周波が重畳された信号をインダクタに印加すると、直流電源はそのまま通過するが、高周波は（１）式に従って減衰して通過を阻止するように働く。また、コンデンサＣ１２、Ｃ８のインピーダンスは、容量が一定の場合、そのコンデンサに印加する周波数に反比例して小さくなる。従って、コンデンサに印加する周波数が電源Ｖｃｃのように０（直流）の場合は、インピーダンスは無限大となり、印加する周波数が高周波の場合は、その周波数に比例して小さくなる。従って、図２（４）の波形のように、直流電源に高周波が重畳された信号をコンデンサに印加すると、高周波は略そのまま通過するが、直流電源は通過を阻止するように働く。本実施形態はインダクタとコンデンサのこのような働きを利用して、直流電源と発振器の発振信号を重畳させ、その重畳信号を１つのスイッチ５により選択して、出力側の直流カットコンデンサＣ８で電源と発振信号を分離するようにしたものである。
これにより、直流電源と発振器の発振信号を重畳させた重畳信号をインダクタとコンデンサにより分離するので、スイッチ５が１つで電源供給と発振出力の選択を行うことができる。
【００１０】
図３は、本発明の第２の実施形態に係る周波数選択型圧電発振器の構成図である。図３で実線の矢印は電源の電流経路を表し、点線の矢印は信号の経路を表している。この例では発振器が２つの場合について説明する。同じ構成要素には同じ参照番号が付されているので、重複する説明は省略する。この周波数選択型圧電発振器は、発振周波数が（ｆａ）の圧電発振器Ａ１と、発振周波数が（ｆｂ）の圧電発振器Ｂ１０と、圧電発振器Ａ１への電源電流の流入を防止し、発振信号のみを通過させる出力コンデンサＣ１２と、圧電発振器Ｂ１０への電源電流の流入を防止し、発振信号のみを通過させる出力コンデンサＣ１３と、圧電発振器Ａ１及び圧電発振器Ｂ１０の電源に発振信号が混入するのを防止するインダクタＬ１４と、圧電発振器Ａ１、Ｂ１０の何れか１つを選択するスイッチ５と、図示しない電源に発振信号が混入するのを防止する電源インダクタＬ６と、前記スイッチ５により選択された発振信号から直流分をカットする直流カットコンデンサＣ８と、を備えて構成され、圧電発振器Ａ１の電源線路をスイッチ５の接点ｂに接続し、圧電発振器Ｂ１０の電源線路をスイッチ５の接点ｃに接続する。また、スイッチ５の中点ａにインダクタＬ１４を介して出力コンデンサＣ１２と出力コンデンサＣ１３の接続中点とを接続する。更に、その接続中点と図示しない電源との間に電源インダクタＬ６を直列に挿入接続すると共に、直流カットコンデンサＣ８の一方の端子を接続して他方の端子を出力端子とする。尚、本実施形態では発振器が２つの場合について説明しているが、発振器はいくつでも構わない。そして、その発振器の数に合わせてスイッチ５の接点側の数を決定する。また、スイッチ５がメカニカルスイッチを使用しているが、半導体スイッチでも構わない。また、出力コンデンサＣ１２とＣ１３が発振器の外側に配置されているが、各発振器の中に備えられていても構わない。
【００１１】
次に、本実施形態の動作について図２と図３を参照して説明する。図３で実線の矢印は電源の電流経路を表し、点線の矢印は信号の経路を表している。図２は、図３の各部の波形を示す図である。まず、スイッチ５が図３の位置に接点があるとすると、電源からの電圧Ｖｃｃが電源インダクタＬ６及びインダクタＬ１４を介してスイッチ５の中点ａに供給される。中点ａは接点ｂ側に接続されているので、電圧Ｖｃｃは線路２を介して圧電発振器Ａ１に供給される。ここで、インダクタＬ１４のインピーダンスＺＬは前記（１）式により与えられる。つまり、ω＝２πｆであるから、直流電圧Ｖｃｃに対しては、ＺＬ＝０となり、Ｖｃｃはそのまま発振器Ａ１の電源に減衰しないで供給される。それにより発振器Ａ１が発振周波数（ｆａ）で発振を開始する。また、出力コンデンサＣ１２のインピーダンスＺｃは前記（２）式により与えられる。ここで、ｆａは高周波であるので、Ｚｃ＝０となり、発振周波数（ｆａ）はそのまま出力される。このとき線路４には図２（４）のように電圧Ｖｃｃに発振周波数（ｆａ）が重畳した波形を有する信号となり、その信号はインダクタＬ１４にも印加される。しかし、インダクタＬ１４のインピーダンスは（１）式より周波数に比例して大きくなるので、ＺＬは非常に大きくなり、発振出力波図２（２）のように減衰されてＶｃｃのみが発振器Ａの電源入力端に供給される。また、波形（４）は電源インダクタＬ６に供給されるが、前記（１）式より周波数に比例してＺＬは非常に大きくなるので発振信号のみを減衰させ、電源側の線路には図２の（７）のように発振信号が回り込むのを防いでいる。また、直流カットコンデンサＣ８では、前記（２）式よりＶｃｃに対して無限大のインピーダンスを示し、図２（９）のように発振信号のみを通過させる。尚、スイッチ５の接点をｃ側にした場合も、前記と同様に発振器Ｂ１０の信号（ｆｂ）が選択されて、出力側の直流カットコンデンサＣ８から出力される。
【００１２】
このように、前記第１の実施形態では、各発振器の電源にインダクタＬ３、Ｌ１１を挿入接続して発振信号の混入を防止している。従って、発振器の数だけインダクタが必要となり、発振器の数が増加するとその分、部品点数が増加してしまう。そこで本実施形態では、発振器の出力コンデンサＣ１２とＣ１３の出力側を共通に接続し、その接続点とスイッチ５の中点ａとの間に共通のインダクタＬ１４を接続して部品点数を削減するものである。しかし、この回路の場合、出力信号が他の発振器Ｂ１０の出力に接続されるため、インピーダンスの関係で信号レベルが減少する可能性があるので、接続する発振器の数が制限する必要がある。これにより、発振器の数に関係なく最小のインダクタの数で回路を構成することができる。
【００１３】
【発明の効果】
以上記載のごとく請求項１の発明によれば、直流電源と発振器の発振信号を重畳させた重畳信号をインダクタとコンデンサにより分離するので、発振器選択手段が１つで電源供給と発振出力の選択を行うことができる。
また請求項２では、発振器の出力側を共通に接続し、その接続点と発振器選択手段の選択側端子との間に共通のインダクタを接続するので、発振器の数に関係なく最小のインダクタの数で回路を構成することができる。
また請求項３では、被選択側端子を複数備え、且つ、端子の電流容量が所定の直流電流容量を切替え可能な構成なので、電源と発振信号を同時に切り替えることができる。
また請求項４では、インダクタンスの値を発振周波数を所定のレベルまで低下させるように選択し、且つ、電圧降下が所定のレベルになるように直流抵抗を選択するので、発振器の電源に発振信号が回りこむことを防止すると共に、電圧降下を最小限にして発振器の発振動作を安定化することができる。
また請求項５では、発振器選択手段をメカニカルスイッチにより構成するので、周波数特性が優れ、コスト的にも安価に実現することができる。
【図面の簡単な説明】
【図１】本発明の第１の実施形態に係る周波数選択型圧電発振器の構成図である。
【図２】本発明の図１の各部の波形を示す図である。
【図３】本発明の第２の実施形態に係る周波数選択型圧電発振器の構成図である。
【図４】従来の周波数選択型圧電発振器の構成図である。
【符号の説明】
１  圧電発振器Ａ、３  インダクタＬ、５  スイッチ、６  電源インダクタＬ、８  直流カットコンデンサＣ、１０  圧電発振器Ｂ、１１  インダクタＬ、１２、１３  出力コンデンサＣ
【図１】
2004187013.tif 000003
【図２】
2004187013.tif 000004
【図３】
2004187013.tif 000005
【図４】
2004187013.tif 000006